(57)【要約】【課題】  グループ表示切換えの際に特定の表示部のみ明るく見えるのを防止する。【解決手段】  複数の発光型の表示部のうちのいくつかの表示部から構成される第１グループと、第１グループを構成する表示部と構成しない表示部の双方を含む第２グループとが予め設定され、第１または第２グループの表示が指示されると、第１または第２グループを構成する複数の表示部を短い時間間隔で順番に表示させることで、そのグループを構成する表示部があたかも同時に表示されているかのように見せる第１または第２グループ表示を行う。第１グループのグループ表示を行っている最中に第２グループの表示が指示されると、第１グループのグループ表示から第２グループのグループ表示への切換え直前と直後とで同一の表示部が連続して表示されないよう第２グループのグループ表示における表示順序を制御する。【選択図】        図１０
2005128102.tif 000002
【特許請求の範囲】
【請求項１】
複数の発光型の表示部のうちのいくつかの表示部から構成される第１グループと、該第１グループを構成する表示部と構成しない表示部の双方を含む第２グループとが予め設定され、
前記第１グループの表示が指示されると、該第１グループを構成する複数の表示部を短い時間間隔で順番に表示させることで、第１グループを構成する表示部があたかも同時に表示されているかのように見せる第１グループ表示を行い、前記第２グループの表示が指示されると、該第２グループを構成する複数の表示部を短い時間間隔で順番に表示させることで、第２グループを構成する表示部があたかも同時に表示されているかのように見せる第２グループ表示を行う表示制御装置を有し、
該表示制御装置は、前記第１グループのグループ表示を行っている最中に前記第２グループの表示が指示されると、該第１グループのグループ表示から第２グループのグループ表示への切換直前と直後とで同一の表示部が連続して表示されないよう第２グループのグループ表示における表示順序を制御することを特徴とする表示装置。
【請求項２】
前記表示制御装置は、前記第１グループのグループ表示を行っている最中に前記第２グループの表示が指示されると、該第２グループのグループ表示にあたって第２グループを構成する表示部のうち前記第１グループを構成しない表示部から表示を開始することを特徴とする請求項１に記載の表示装置。
【請求項３】
複数の発光型の表示部のうちのいくつかの表示部から構成される第１グループと、該第１グループを構成する表示部と構成しない表示部の双方を含む第２グループとが予め設定され、
前記第１グループの表示が指示されると、該第１グループを構成する複数の表示部を短い時間間隔で順番に表示させることで、第１グループを構成する表示部があたかも同時に表示されているかのように見せる第１グループ表示を行い、前記第２グループの表示が指示されると、該第２グループを構成する複数の表示部を短い時間間隔で順番に表示させることで、第２グループを構成する表示部があたかも同時に表示されているかのように見せる第２グループ表示を行う表示制御装置を有し、
該表示制御装置は、前記第１グループのグループ表示を行っている最中に前記第２グループの表示が指示されると、該第２グループのグループ表示にあたって、第２グループを構成する表示部のうち前記第１グループのグループ表示で最初に表示する表示部以外の表示部から表示を開始することを特徴とする表示装置。
【請求項４】
請求項１〜３のいずれかの表示装置を有するカメラであって、
前記複数の表示部は、ファインダ内に表示される複数の焦点検出エリアであることを特徴とするカメラ。
【発明の詳細な説明】
【技術分野】
【０００１】
本発明は、複数の表示部を短い時間間隔で順に表示することでこれらの表示部が同時に表示されているように見せる表示装置、およびその表示装置を有するカメラに関する。
【背景技術】
【０００２】
複数の発光型表示部を同時に表示させる場合、各表示部に対応する光源を同時に点灯するようにすると、一時に大電流を流せる大規模な電源が必要となる。そこで、複数の光源を同時ではなく短い時間間隔で順番に点灯させることで、あたかも複数の表示が同時になされているかのように見せる表示手法が用いられている（例えば、特許文献１参照）。かかる表示方法において、各表示部の見た目の明るさを全て同一とするには、個々の表示部の単位時間あたりの点灯時間を全て同一とする必要がある。
【０００３】
【特許文献１】特開２００１−１２８２６８号公報
【特許文献２】特開平１１−２４９２２０号公報
【特許文献３】特開２００２−７２３３１号公報
【発明の開示】
【発明が解決しようとする課題】
【０００４】
ところで、複数の表示部を幾つかのグループに分け、グループ単位で表示させることがある。最も一般的な例として、図１１，図１２に示すような７個のセグメントａ〜ｇおよび７個の光源（不図示）を用いて０〜９までの数字を表示することがよく行われるが、この場合は、「０」を表示するために必要なセグメントから成るグループ、「１」を表示するのに必要なセグメントから成るグループ、というように計１０個のグループが設定されていることになる。
【０００５】
かかる数字表示を特許文献１のような手法で表示する場合、例えば「４」を表示するには「４」のグループのセグメントを順番に表示させるが、その表示中に表示対象数字が「５」に変更された場合、今度は「５」のグループのセグメントを順番に表示させることになる。ところが、「４」と「５」とでは共通のセグメントがあり、これら共通セグメントが表示切換時に通常よりも短い周期で表示されることがあり得る。例えば、たまたま共通セグメントが表示されているときに表示切換えが指示され、表示切換え後にその共通セグメントから表示が開始されたような場合には、その共通セグメントが連続して表示されることになり、そのセグメントだけが他と比べて明るく見えてしまい、見る者に違和感を与える。
【課題を解決するための手段】
【０００６】
請求項１，２の発明に係る表示装置は、複数の発光型の表示部のうちのいくつかの表示部から構成される第１グループと、第１グループを構成する表示部と構成しない表示部の双方を含む第２グループとが予め設定され、第１グループの表示が指示されると、第１グループを構成する複数の表示部を短い時間間隔で順番に表示させることで、第１グループを構成する表示部があたかも同時に表示されているかのように見せる第１グループ表示を行い、第２グループの表示が指示されると、第２グループを構成する複数の表示部を短い時間間隔で順番に表示させることで、第２グループを構成する表示部があたかも同時に表示されているかのように見せる第２グループ表示を行う表示制御装置を有し、表示制御装置は、第１グループのグループ表示を行っている最中に第２グループの表示が指示されると、第１グループのグループ表示から第２グループのグループ表示への切換え直前と直後とで同一の表示部が連続して表示されないよう第２グループのグループ表示における表示順序を制御する。
特に請求項２の発明は、第１グループのグループ表示を行っている最中に第２グループの表示が指示されると、第２グループのグループ表示にあたって第２グループを構成する表示部のうち第１グループを構成しない表示部から表示を開始するものである。
請求項３の発明に係る表示装置は、請求項１の発明と同様の複数の表示部および表示制御装置を有し、第１グループのグループ表示を行っている最中に第２グループの表示が指示されると、第２グループのグループ表示にあたって、第２グループを構成する表示部のうち第１グループのグループ表示で最初に表示する表示部以外の表示部から表示を開始する。
請求項４の発明に係るカメラは上記表示装置を有する。複数の表示部は、ファインダ内に表示される複数の焦点検出エリアである。
【発明の効果】
【０００７】
本発明によれば、第１グループのグループ表示を行っている最中に第２グループの表示が指示されると、第１グループのグループ表示から第２グループのグループ表示への切換え直前と直後とで同一の表示部が連続して表示されないようにしたので、表示切換時に特定の表示部が明るく表示されることが防止される。
【発明を実施するための最良の形態】
【０００８】
図１〜図１０により本発明をカメラの表示装置に適用した場合の一実施の形態を説明する。
本実施形態のカメラは、図１に示すように画面内に１１個の焦点検出エリアＣ，Ｒ，Ｌ，Ｔ，Ｂ，ＲＴ，ＬＴ，ＲＢ，ＬＢ，ＲＳ，ＬＳが設定され、撮影者がいずれか１個のエリアを選択すると、そのエリアの焦点検出結果に基づいて焦点調節が行われる。また別の焦点検出モードとして、１１個のエリアを複数パターンにグループ化し、撮影者がいずれかのグループを選択すると、選択したグループに属するエリアのみが有効となるようにもできる。この場合、カメラは、選択されたグループに属するエリアに存在する被写体のうち、例えば最至近の被写体にピントを合わせる。
【０００９】
図１では５つの焦点検出エリアＣ，Ｒ，ＲＳ，ＲＴ，ＲＢから成るグループが選択され、それらの５エリアがファインダ内スーパーインポーズにより発光表示されている様子を示している。本実施形態では、このグループを含めて合計５グループが選択可能とされ、グループの選択は、図２に示す５つのグループ選択スイッチＳＷ−Ｃ，ＳＷ−Ｒ，ＳＷ−Ｌ，ＳＷ−Ｔ，ＳＷ−Ｂによってなされる。これらのスイッチは、カメラに設けられたグループ選択用操作部材（例えば、十字キーやダイアル）の操作に応じてオン・オフされるものである。
【００１０】
５つのグループとそれに対応するスイッチとを図３（ａ）〜（ｅ）に示す。
図から分かるように、グループは、それぞれ５つの焦点検出エリアから成る左，中，右の十字型グループと、それぞれ４つの焦点検出エリアから成る上，下のＴ字型グループとがある。焦点検出エリアの多くは２以上のグループ間で重複しており、例えば中央エリアＣはいずれのグループにも属している。
【００１１】
次に、グループのスーパーインポーズ表示（グループ表示）について説明する。
図２において、ＬＥＤ−Ｃ，ＬＥＤ−Ｒ，ＬＥＤ−Ｌ，ＬＥＤ−Ｔ，ＬＥＤ−Ｂ，ＬＥＤ−ＲＴ，ＬＥＤ−ＬＴ，ＬＥＤ−ＲＢ，ＬＥＤ−ＬＢ，ＬＥＤ−ＲＳ，ＬＥＤ−ＬＳで示す１１個のＬＥＤは、ファインダ内スーパーインポーズ表示装置を構成し、上述した１１個の焦点検出エリアにそれぞれ対応している。ファインダ内スーパーインポーズ表示そのものは公知技術であり詳細な説明は省略するが、いずれかのＬＥＤを発光させると、そのＬＥＤに対応する焦点検出エリアがファインダ内の被写体像に重ね合わせて例えば赤色で表示されるようになっている。定電流回路１１は、全てのＬＥＤの輝度を同一とするためのものである。制御回路１２は、グループ選択スイッチ（ＳＷ−Ｃ，ＳＷ−Ｒ・・・）によるグループ選択に伴い、選択されたグループに属する焦点検出エリアに対応するＬＥＤを全て点灯し、これらのエリアをスーパーインポーズ表示する。
【００１２】
スーパーインポーズ表示の表示時間は、スイッチオン後の数１００ｍｓであるが、その間、対応する５個または４個のＬＥＤを同時に点灯させ続けるわけではなく、短い時間間隔で１個ずつ順番に点灯させてゆく方式を採る。ＬＥＤの点灯は１個ずつではあるが、点灯間隔が極めて短いため、人間の目の残像現象によりあたかも複数のＬＥＤが同時に点灯されている（複数の焦点検出エリアが同時に表示されている）ように見える。この表示方式によれば、表示すべきエリアの数が多くても同時に２以上のＬＥＤが点灯することはないため、一時に大電流を流す必要がなく、電源を小規模化できる。また、ＬＥＤを同時点灯する場合には同時点灯するだけの定電流回路が必要となるが、１個ずつ点灯する場合には定電流回路も１個で済む。
【００１３】
図４はグループ選択スイッチにＬＥＤの点灯パターン（エリア表示パターン）を対応づけた表を示し、これは制御回路１２に予めテーブルとして格納されている。この表では、ＬＥＤの点灯の有無がフラグで表され、点灯対象となるＬＥＤはフラグが「１」、点灯対象でないＬＥＤは「０」である。ＬＥＤ制御においては、図示右から順番にフラグが「１」のＬＥＤを点灯させてゆく。例えばスイッチＳＷ−Ｃがオンした場合には、点灯対象となるＬＥＤはＬＥＤ−Ｃ，ＬＥＤ−Ｒ，ＬＥＤ−Ｌ，ＬＥＤ−Ｔ，ＬＥＤ−Ｂの５つであり、これらをこの順で点灯させることになる。
なお、左端の「ＯＦＦ」については後述する。
【００１４】
図６はスイッチＳＷ−Ｃがオンしたときの実際のＬＥＤ制御を示すタイムチャートである。制御回路１２は、スイッチＳＷ−Ｃのオンに伴い、まずＬＥＤ−Ｃを所定時間ｔ２だけ点灯し、焦点検出エリアＣを表示する。ＬＥＤ−Ｃの消灯から時間ｔ１−ｔ２の後にＬＥＤ−Ｒを時間ｔ２だけ点灯し、焦点検出エリアＲを表示する。以降、同様の点灯時間ｔ２および間隔ｔ１でＬＥＤ−Ｌ→ＬＥＤ−Ｔ→ＬＥＤ−Ｂと点灯してゆき、表示時間（数１００ｍｓ）が経過するまでこれを繰り返す。ｔ１，ｔ２は、上述したように複数のエリアが同時に表示されていると錯覚させ得る時間であり、例えばそれぞれ４ｍｓ，３ｍｓ程度とされる。図から分かるように、個々のＬＥＤの点灯周期は全ＬＥＤで同一であるから、表示される複数の焦点検出エリアは全て同一の明るさに見える。
【００１５】
同様に図７はスイッチＳＷ−ＴがオンしたときのＬＥＤ制御を示している。この場合は、上述と同様の点灯時間ｔ２および間隔ｔ１でＬＥＤ−Ｃ→ＬＥＤ−Ｔ→ＬＥＤ−ＲＴ→ＬＥＤ−ＬＴと順に点灯してゆくが、ＬＴの後の時間ｔ１はいずれも点灯せず、その後に再びＬＥＤーＣから点灯する。この非点灯区間を設けるか否かが図４の「ＯＦＦ」として規定されている。すなわち、ＳＷ−ＴおよびＳＷ−Ｂに対応するＴ字型グループは、エリア数が４個であり、十字型グループの５個と比べて１個少ないから、上記非点灯区間を設けないと個々のＬＥＤの点灯周期が５個のときよりも小さくなり、その分明るく見えてしまう。よってエリア数が４個でも５個でも見た目の明るさを同一とするために、４個の場合にのみ非点灯区間を設けるのである。
以上がスーパーインポーズ表示制御の基本である。
【００１６】
ところで、グループ選択に伴うスーパーインポーズ表示中に他のグループが選択された場合を考える。このような現象は、グループの選択操作を行った撮影者が、表示を確認することなく続けざまに他のグループを選択したようなときに起こる。この場合は、それまでの表示グループに対応するＬＥＤ制御を途中で切り上げ、新たに選択されたグループに対応するＬＥＤ制御に即座に切換える必要があるが、この切換えを単純に行うと、制御切換時に特定のＬＥＤが通常の周期よりも短い間隔で点灯される場合がある。
【００１７】
例えば図８は、ＳＷ−Ｃに対応するグループ表示の最中にスイッチＳＷ−Ｔがオンされた例を示し、スイッチオン直後にＬＥＤ−Ｃが２回連続で点灯している。これは、図４から分かるように全てのＬＥＤ制御がＬＥＤ−Ｃのオンをもって開始される設定において、スイッチＳＷ−Ｔのオン時点がＬＥＤ−Ｃの点灯中またはＬＥＤ−Ｃの消灯から次のＬＥＤがオンされるまでの期間であったことによる。そして、このようにＬＥＤ−Ｃのみが連続して点灯すると、ＬＥＤ−Ｃに対応する焦点検出エリアＣが他のエリアと比べて明るく見え、見る者に違和感を与える。図８は連続点灯という最も極端な例を示したが、連続で点灯しないまでも点灯周期が短くなることで、その表示のみ明るく見えることがあり得る。
【００１８】
そこで本実施形態では、上述したグループ表示において、各ＬＥＤの点灯が終了するたびに他のエリアの選択操作がなされたか否かを確認し、選択操作がなされた場合には、図４に示した点灯パターンと異なるパターン（以下、切換時点灯パターン）でＬＥＤ制御を行うようにした。図５は、ＳＷ−Ｃに対応するグループ表示の最中にスイッチＳＷ−Ｔがオンされた場合の切換時点灯パターンを示し、実際に使用されるのは最下段のパターンである。
【００１９】
この最下段のパターンは、ＳＷ−Ｃに対応するパターンを論理反転したパターンと、ＳＷ−Ｔに対応するパターンとの論理積をとったもので、これによれば、ＳＷ−Ｔでの点灯対象ＬＥＤのうち、ＳＷ−Ｃでの点灯対象ＬＥＤでもあるＬＥＤ−Ｃ，ＬＥＤ−Ｒは点灯対象外となり、ＳＷ−Ｃでの点灯対象ＬＥＤではないＬＥＤ−ＲＴおよびＬＥＤ−ＬＴのみが点灯対象となる。図５はＳＷ−ＣからＳＷ−Ｔへの切換時に適用するパターンであるが、他のグループ切換えに対しても同様の論理で切換時点灯パターンが作成され適用される。グループの総数が５であるから、切換時点灯パターンの数は２０となる。
【００２０】
上記切換時点灯パターンを用いた制御の一例を図９に示す。これは、ＳＷ−Ｃに対応するグループ表示で、区間Ｔ１の間にＳＷ−Ｔがオンされた例を示している。この場合は図５に示した切換時点灯パターンが適用されるから、ＳＷ−Ｔのオン後、まず最初の区間Ｔ２でＬＥＤ−ＲＴが、次の区間Ｔ３でＬＥＤ−ＬＴが点灯する。その後、上述した非点灯区間Ｔ４があり、これで切換時点灯パターンは終了となる。その後の区間Ｔ５から通常のＳＷ−Ｔ対応パターン（図４）に戻る。この制御によれば、区間Ｔ１の間にＳＷ−Ｔがオンされた場合でも、次にＬＥＤ−Ｃが点灯するまでに３区間のインターバルがあり、図８のようにＳＷ−Ｃが２区間連続で点灯するようなことはない。したがって、特定の焦点検出エリアのみが明るく表示されることはない。ここで、通常パターンにおける点灯周期は５区間（インターバルは４区間）であるから厳密には１区間足りないが、この程度の差は実際の表示では問題とならない。なお、いかなるケースでもインターバルが３区間未満になることはあり得ない。
【００２１】
図１０は上記の制御をソフト的に実現するためのフローチャートである。
上述したグループ選択スイッチのいずれかがオンされると、制御回路１２によってこのプログラムが起動され、まず図４に示したテーブルから、オンされたスイッチに対応する点灯パターンを選択する（ステップＳ１）。以降のステップでは、図４の右側から順に１１個のＬＥＤの点灯の要否をチェックし、その結果に応じた処理をその都度行う。
【００２２】
代表してＬＥＤ−Ｃに関する処理を説明すると、まずＬＥＤ−Ｃの点灯の要否をチェックし（ステップＳ２）、フラグが「１」であればステップＳ２が肯定され、ＬＥＤ−Ｃを時間ｔ２だけ点灯する（ステップＳ３）。なお、時間ｔ１内での時間ｔ２を変化させることで明るさを調整可能である。その後、時間ｔ１−ｔ２だけ待機し（ステップＳ４）、ステップＳ５に進む。フラグが「０」であった場合はステップＳ２が否定され、ＬＥＤ−Ｃを点灯させずにステップＳ５に進む。ステップＳ５では、他のグループ選択スイッチが操作されたか否かを判定し、否定されると次のＬＥＤ−Ｒに関する処理に進み、肯定されると、ＬＥＤ制御を切り換えるべくステップＳ６に進む。ステップＳ６では、当該切換えに対応した切換時点灯パターンを取得し、そのパターンで制御を行うべくステップＳ２に戻る。
【００２３】
以上と同様の処理を他のＬＥＤに関しても順に行い、ＬＥＤ−ＬＳの処理まで終了すると、最後に「ＯＦＦ」処理を行う。これは、上述したようにグループを構成する焦点検出エリアが５個の場合と４個の場合とで個々のＬＥＤの点灯周期が変わるのを防止する処理である。その後、同様の制御を再びＬＥＤ−Ｃから繰り返すべくリターンする。そして、所定の表示時間が経過すると処理を終了させる。
【００２４】
以上では、カメラのファインダ内にスーパーインポーズ表を行う表示装置について説明したが、スーパーインポーズ表示に限定されることはなく、またファインダ以外に表示を行うものでもよい。さらにカメラ以外の機器に用いられる表示装置にも本発明を適用できる。例えば図１１，図１２のように７セグメントａ〜ｇによって０〜９の数字を表示するもの（例えば、時計）においては、背景技術でも述べたように１０のグループが設定されるので、上述したような光源の点灯制御を適用することにより、表示する数字を切り換える際に特定のセグメントのみ明るく見えるといったことがなくなる。
【００２５】
また、表示制御の内容も図４，図５に示したものに限定されず、より簡便な制御として、同一の表示部が連続で表示されることさえ回避できれば可とする考え方もある。この場合は、最初のグループ表示から次のグループ表示への切換直前と直後とで同一の表示部が連続して表示されないよう、次のグループ表示における表示順序を制御すればよい。さらに、例えば上記の焦点検出エリアの表示を例にとると、グループ選択スイッチが続けざまに操作されたときに、図８のように最初に点灯されるＬＥＤ−Ｃ（表示されるエリアはＣ）が連続点灯する可能性が高い場合には、後に行われるグループ表示では、単にＬＥＤ−Ｃ以外から点灯を開始するような制御でも効果的である。
なおグループ表示では、表示部を順番に１個ずつ表示するようにしたが、必ずしも１個ずつでなくてもよく、例えば２個ずつ順番に表示するものでもよい。
【図面の簡単な説明】
【００２６】
【図１】一実施形態におけるカメラの焦点検出エリアを示す図。
【図２】カメラのファインダ内表示の制御部を示す図。
【図３】焦点検出エリアのグループ化を示す図。
【図４】焦点検出エリア表示用のＬＥＤの点灯パターン（通常のパターン）を示す図。
【図５】ＬＥＤの表示切換時の点灯パターンを示す図。
【図６】ＳＷ−Ｃの操作に対応するＬＥＤ制御を示すタイムチャート。
【図７】ＳＷ−Ｔの操作に対応するＬＥＤ制御を示すタイムチャート。
【図８】図６の制御中にＳＷ−Ｔが操作されたときの問題を説明するタイムチャート。
【図９】図６における問題を解消した制御を示すタイムチャート。
【図１０】焦点検出エリア表示制御（ＬＥＤ制御）の手順を説明するフローチャート。
【図１１】数字表示のための７セグメント表示パターンを示す図。
【図１２】図１１のパターンによる表示を説明する図。
【符号の説明】
【００２７】
１１  定電流回路
１２  制御回路
Ｃ，Ｒ，Ｌ，Ｔ，Ｂ，ＲＴ，ＬＴ，ＲＢ，ＬＢ，ＲＳ，ＬＳ  焦点検出エリア
ＬＥＤ−Ｃ，ＬＥＤ−Ｒ，ＬＥＤ−Ｌ，ＬＥＤ−Ｔ，ＬＥＤ−Ｂ，ＬＥＤ−ＲＴ，ＬＥＤ−ＬＴ，ＬＥＤ−ＲＢ，ＬＥＤ−ＬＢ，ＬＥＤ−ＲＳ，ＬＥＤ−ＬＳ  ＬＥＤ
ＳＷ−Ｃ，ＳＷ−Ｒ，ＳＷ−Ｌ，ＳＷ−Ｔ，ＳＷ−Ｂ  グループ選択スイッチ
【図１】
2005128102.tif 000003
【図２】
2005128102.tif 000004
【図３】
2005128102.tif 000005
【図４】
2005128102.tif 000006
【図５】
2005128102.tif 000007
【図６】
2005128102.tif 000008
【図７】
2005128102.tif 000009
【図８】
2005128102.tif 000010
【図９】
2005128102.tif 000011
【図１０】
2005128102.tif 000012
【図１１】
2005128102.tif 000013
【図１２】
2005128102.tif 000014